(57)【要約】      （修正有）【課題】倒されたときに簡単にはこぼれない移行用のカップの提供。【解決手段】容器１０と、鍔部２０と、容器組立体１００のへりの周囲の任意の場所で飲むことのできる起点である環状封止体４０ｃと、を有し、鍔部２０は、閉じた下端部内へと下向きにおよび内向きに延在する円形上端部を有する円錐台形状の内壁を有する。閉じた下端部は、その中央から外向きに延在する突出部を有する。鍔２０部は、円形上端部の上縁部の内面に沿って配置構成された支持表面、および、容器１０に確実に固定するために設けられた、鍔部２０の底部に隣接して配設された固定具組立体を含む。流体を導通するために、複数の通路が、円錐台形状の内壁において突出部の周囲に放射方向に配設される。支持表面に沿って様々な流路を画定する、支持表面と放射方向に隣接して複数の放射方向の突起が配設されている。【選択図】図２０
2018122936.tif 000002
【特許請求の範囲】
【請求項１】
中央から外向きに延在する突出部を有する閉じた下端部内へと下向きにおよび内向きに延在する開放円形上端部を有する円錐台形内壁を有する鍔部であって、前記鍔部が、
前記開放円形上端部の内面に沿って配置構成された支持表面と、
容器に確実に固定するために設けられた、前記鍔部の底端部に隣接して配設された固定具組立体と、
流体を導通するために前記円錐台形内壁に配設された複数の通路と、を備える、鍔部と、
様々な流路を画定する、前記支持表面と放射方向に隣接して配設された複数の突起と、
前記円錐台形内壁の形状と実質的に同様の第１の円錐台形表面を有し、前記突出部を受容しその上に固着するための盲孔凹部を下面上の中央に有する、環状封止体と、
を備える、こぼれない鍔部および弁の組立体。
【請求項２】
前記鍔部の前記底端部が、前記鍔部と前記容器との間でガスケットを受容するように適合される、請求項１に記載のこぼれない鍔部および弁の組立体。
【請求項３】
前記環状封止体が、前記容器内への空気の移送を可能にするように適合された１つまたは複数の空気弁を含む、請求項１に記載のこぼれない鍔部および弁の組立体。
【請求項４】
前記環状封止体が、前記流路が前記環状封止体によって覆われるようにして、前記支持表面に対してその周縁部を封止するように付勢される、請求項１に記載のこぼれない鍔部および弁の組立体。
【請求項５】
前記環状封止体の前記周縁部が、使用者の口によって生成される吸引力に応じて前記支持表面から持ち上げられるとき、前記流路のうちの少なくとも１つが、前記周縁部の内部と前記鍔部の前記支持表面との間に流体連通経路を形成するように部分的に露出され、このことにより流体が前記流路を通って前記使用者の前記口の中へと流れることを可能にする、請求項４に記載のこぼれない鍔部および弁の組立体。
【請求項６】
前記円錐台形内壁が、
前記突出部の基部から第１の同心縁部まで放射方向外向きに拡張する閉じた下側壁と、
中間壁であって、前記閉じた下側壁の前記第１の同心縁部から放射方向外向きに離れる方向へと、所定の角度で前記中間壁の上端部における第２の同心縁部に向かって延在する、中間壁と、
前記中間壁の前記上端部から前記鍔部の前記開放円形上端部まで放射方向外向きに拡張する、第２の放射方向桟部と、
を備える、請求項１に記載のこぼれない鍔部および弁の組立体。
【請求項７】
前記複数の通路が、前記円錐台形状の内壁の前記閉じた下側壁に配設された、請求項６に記載のこぼれない鍔部および弁の組立体。
【請求項８】
前記複数の通路が、前記円錐台形状の内壁の前記中間壁に配設された、請求項６に記載のこぼれない鍔部および弁の組立体。
【請求項９】
前記複数の通路が、前記円錐台形状の内壁の前記第２の放射方向桟部に配設された、請求項６に記載のこぼれない鍔部および弁の組立体。
【請求項１０】
前記突出部の上縁部が、同心肩部を画定するために、前記突出部の軸部の外面の下側部分を越えて放射方向外向きに延在する、請求項１に記載のこぼれない鍔部および弁の組立体。
【請求項１１】
前記環状封止体が、前記盲孔凹部の同心縁部から内向きに延在する、前記突出部の前記同心肩部を受容し固着する同心フランジを備える、請求項１０に記載のこぼれない鍔部および弁の組立体。
【請求項１２】
前記環状封止体が、上面上のその中央において、前記環状封止体を前記鍔部から取り外すのを容易にするための放射方向外向きに延在するフランジを有する隆起した部分をさらに備える、請求項１に記載のこぼれない鍔部および弁の組立体。
【請求項１３】
前記複数の放射方向の突起が、外向きに前記鍔部の前記支持表面に隣接して突出する、請求項１に記載のこぼれない鍔部および弁の組立体。
【請求項１４】
前記複数の放射方向の突起が、前記環状封止体の前記周縁部の下面から離れる方向に、前記鍔部の前記支持表面に向かってこれに隣接して突出する、請求項１に記載のこぼれない鍔部および弁の組立体。
【請求項１５】
閉じた下端部内へと下向きにおよび内向きに延在する上側開放端部を有す円錐台形状とされた内壁を有する鍔部であって、前記鍔部が、
前記閉じた下端部から外向きに離れる方向へと延在する突出部と、
前記上側開放端部に隣接する内面に沿って配置構成された支持表面と、
流体を導通するために前記円錐台形状とされた内壁に配設された少なくとも１つの開口と、
容器に確実に固定するために設けられた、前記鍔部の底部に隣接して配設された固定具組立体と、を備える、鍔部と、
前記鍔部の前記円錐台形状とされた内壁の形状と実質的に同様の円錐台の形態で構築された第１の表面を有し、前記突出部上に受けられ固着されることになる相互接続部分を下面上に有する、アニュアル封止体と、
を備える、こぼれない鍔部および弁の組立体。
【請求項１６】
前記アニュアル封止体の周縁部と前記支持表面との間の封止接続によって閉じられる様々な流路を画定する、前記支持表面と放射方向に隣接して配設された複数の突起をさらに備える、請求項１５に記載のこぼれない鍔部および弁の組立体。
【請求項１７】
前記アニュアル封止体の前記周縁部が、使用者の口によって生成される吸引力に応じて前記支持表面から持ち上げられるとき、流体が前記使用者の前記口の中へと流れることを可能にするために、前記流路のうちの少なくとも１つが、前記容器の内部から、前記円錐台形状とされた内壁の前記少なくとも１つの開口を横切り、前記鍔部と前記環状封止体との間に画定された空洞を通り、前記流路を通る、流体連通経路を形成するように、部分的に露出される、請求項１６に記載のこぼれない鍔部および弁の組立体。
【請求項１８】
前記円錐台形状とされた内壁が、
前記突出部が上向きに延在する起点である閉じた下側水平桟部と、
中間壁であって、前記閉じた下側水平縁部の周縁から外向きに離れる方向へと、所定の角度で前記中間壁の上端部に向かって延在する、中間壁と、
前記中間壁の前記上端部から前記鍔部の前記上側開放端部まで外向きに延在する、第２の放射方向桟部と、
を備える、請求項１５に記載のこぼれない鍔部および弁の組立体。
【請求項１９】
前記突出部の上縁部が、同心肩部を画定するように放射方向に外向きに延在し、前記環状封止体の前記相互接続部分が、凹部の一番外側の同心縁部から内向きに延在する、前記突出部の前記同心肩部を受容し固着する同心フランジを有する凹部を備える、請求項１５に記載のこぼれない鍔部および弁の組立体。
【請求項２０】
容器と、
閉じた第２の端部内へと下向きにおよび内向きに延在する開いた第１の端部を有する円錐台形状の内壁を有する鍔部であって、前記鍔部が、
前記容器に確実に固定するために設けられた、前記鍔部の底部に隣接して配設された固定具組立体と、
前記閉じた第２の端部から外向きに離れる方向へと延在する突出部と、
前記開いた第１の端部に隣接する内面に沿って配置構成された支持表面と、
流体を導通するために前記円錐台形状の内壁に配設された少なくとも１つの開口と、
を備える、鍔部と、
前記鍔部の前記円錐台形状の内壁の形状と実質的に同様の円錐台形の円盤の形態で構築された第１の表面を有し、前記突出部上に受けられ固着されることになる盲孔凹部を下面上の中央に有する、アニュアル封止体と、
を備える、こぼれない容器組立体。
【発明の詳細な説明】
【技術分野】
【０００１】
関連出願の相互参照
本出願は、各々の内容の全体が本明細書において参照により本開示に組み込まれる、２０１３年１０月１６日に出願された仮特許出願第６１／８９１，４０９号、２０１４年５月２０日に出願された米国仮特許出願第６２／０００，８８７号、および２０１４年１０月１４日に出願された米国特許出願第１４／５１４，１８６号に対する優先権を主張する。
【０００２】
主題である開示は、飲用容器に関する。より具体的には、使用者が容器の任意の周縁部に沿って飲むことおよび容器組立体内から流体を引き出すことのできる起点である、３６０度封止された唇包囲体を有する、こぼれ防止飲用容器組立体に。
【背景技術】
【０００３】
様々な種類のこぼれ防止容器が知られている。親が従来の哺乳瓶から乳児を引き離そうするときには、通常は、その子供が従来の頂部開放型のカップを困難なく取り回して使用できるまで、飲み口を有する暫定的なまたは移行用のこぼれ防止容器が有用である。残念ながら小さい子供は、これら数年の発達期においては、従来型の開放型カップの把持と支持とを完全に制御することは困難である。結果として、乳児または子供が自分のカップを押し倒したときに、こぼれが頻繁に発生し、このこぼれが、地面、自分自身、またはそれ
以外の場所に対する、実質的な漏れを引き起こす。
【０００４】
飲用容器のためのこぼれない容器の蓋が、多年にわたって長い間求められてきた。自動車などの移動する車両内で使用されることになるホットコーヒー容器のための蓋などの、動いている人が使用するための、流体が充填される容器のための様々な蓋材が製造されている。しかしながら、従来型のこぼれない容器の蓋は一般に、使用者が容器の蓋から飲むことのできる起点である特定の領域を制限することに加えて、比較的複雑な部品および弁構造を必要とした。
【０００５】
したがって、倒されたときに簡単にはこぼれない移行用のカップの開発の必要性が存在する。
【発明の概要】
【０００６】
下向きにおよび内向きに閉じた下端部内に延在する円形上端部を有する円錐台形状の内壁を有する鍔部を備える、こぼれない鍔部および弁の組立体。閉じた下端部は、可撓性の環状封止体を受容するようにその中心から外向きに延在する、突出部を有する。円形上端部の上縁部の内面に沿って、支持表面が配置される。複数の突起が、支持表面と放射方向に隣接して配設され、支持表面に沿って様々な流路を画定する。複数の通路が、円錐台形状の内壁において突出部の周囲に放射方向に配設される。可撓性の環状封止体は、円錐台形状の内壁の形状と実質的に同様の内部形状を有する円錐台形の円盤の形態で構築される。可撓性の環状封止体は、下面上のその中央に、突出部を受容しその上に固着するための盲孔凹部を有する。鍔部の底部において、鍔部を容器に確実に固定するために提供される、取り付け機構が提供される。
【０００７】
以下の図面を参照して、本開示の様々な例示の実施形態が詳細に説明され、この場合類似の参照符号は、同一のまたは同様の構成要素またはステップを指す。
【図面の簡単な説明】
【０００８】
【図１】主題である開示による、１対の取っ手を有する鍔部を有する例示のこぼれない容器組立体の分解図。
【図２】こぼれない容器組立体の側面図。
【図３】取っ手を有さないこぼれない容器組立体の分解図。
【図４】主題である開示による、へりに沿った任意の角度から摂取可能な、こぼれない容器組立体の上側斜視図。
【図５】主題である開示による、へりに沿った任意の角度から摂取可能な、こぼれない容器組立体の上側斜視図。
【図６】使用中にこぼれない容器組立体を困難なく取り回している乳児を描いた図。
【図７】使用中にこぼれない容器組立体を困難なく取り回している乳児を描いた図。
【図８】こぼれない容器組立体の上端部の断面図。
【図９】鍔部の内向き鍔部表面縁部および環状封止体の内向き封止表面縁部の分解断面図。
【図１０】使用中のこぼれない容器組立体の上端部の断面図。
【図１１】例示の鍔部の上面図。
【図１２】鍔部の底面図。
【図１３】環状封止体の底面上に複数の隆起した突起および間隙が配設された、こぼれない容器組立体の上端部の断面図。
【図１４】突出部を覆う固着位置から環状封止体を取り外すためのつまみを有する、こぼれない容器組立体の上端部の断面図。
【図１５】環状封止体および鍔部を通して貫通通路が配設された、こぼれない容器組立体の上端部の断面図。
【図１６】こぼれない容器組立体の中心からずらして配設された空気通気通路の断面図。
【図１７】主題である開示による、別の例示の環状封止体を有するこぼれない容器組立体の分解図。
【図１８】環状封止体上におよび鍔部上にそれぞれ隆起した突起および間隙が配設された、図１７におけるこぼれない容器組立体の上端部の断面図。
【図１９】環状封止体上におよび鍔部上にそれぞれ隆起した突起および間隙が配設された、図１７におけるこぼれない容器組立体の上端部の断面図。
【図２０】こぼれない容器の別の上側斜視図。
【図２１】１対の取っ手を有する鍔部を含む、こぼれない容器組立体の分解図。
【図２２】延長フランジを有する環状封止体を有する、こぼれない容器の断面図。
【図２３】こぼれない容器の円錐台形鍔部の上側斜視図。
【図２４】こぼれない容器の円錐台形鍔部の下側斜視図。
【図２５】こぼれない容器の円錐台形鍔部の上面図。
【図２６】こぼれない容器の円錐台形鍔部の底面図。
【図２７】主題である開示による、こぼれない容器の円錐台形鍔部の側面図。
【図２８】こぼれない容器の円錐台形鍔部の断面図。
【図２９】こぼれない容器の環状封止体の上側斜視図。
【図３０】こぼれない容器の環状封止体の下側斜視図。
【図３１】こぼれない容器の環状封止体の上面図。
【図３２】こぼれない容器の環状封止体の底面図。
【図３３】こぼれない容器の環状封止体の側面図。
【図３４】こぼれない容器の環状封止体の断面図。
【発明を実施するための形態】
【０００９】
本発明の具体的な実施形態が、ここで図面を参照してより詳細に説明される。
【００１０】
図１および図２は、例示のこぼれない飲用容器組立体１００の分解図および組み立てられた側面図を示す。飲用容器組立体１００は、容器１０と、復元力のある封止リング１１と、鍔部２０と、環状封止体４０と、を含む。容器組立体１００は、開放型カップへと移行するための運動能力の協調が不足している可能性のある小さい子供および／または大人を助けるのに貢献する。容器組立体１００は、使用者がへり２６の周囲のどこからでも啜るかまたは飲むことが容易にできるようにする。
【００１１】
図１〜図２において示される容器１０は、形状が実質的に中心軸（Ａ）を中心とした円筒形であり、側壁１２と、第１の開放端部１３と、第２の閉じた端部１４とを有する。容器１０の第１の開放端部１３は、容器１０内に保管された流体を受容するように適合された、中央開口部１３ａを有する。容器１０が、正方形形状または他の好適な丸みを帯びた形状など、流体の保持ならびに鍔部２０および環状封止体４０の受容が可能な任意の好適なサイズまたは形状をとり得ることを理解されたい。
【００１２】
鍔部２０は、円錐台形の円筒形状であってよい。図８において示されるように、鍔部２０は、上向きに面し容器１０の上端部１３ａ内に存在する、上面２２ａを含む。鍔部２０は、組み付けたときに環状封止体４０から離れる方向へ容器１０に向かって下向きに面する、下面２２ｂも含む。
【００１３】
この実施形態によれば、鍔部２０は、鍔部２０の側部２０ａから延在する、１対の取っ手１７を含む。取っ手１７は、外向きにおよび下向きに延在して、２つの湾曲した腕部を形成する。取っ手１７は、容器組立体１００の容器１０を把持するのに困難を有する場合のある乳児または人に、追加の利点を提供する。図７において示されるように、取っ手１７は、使用者が取っ手１７の腕部によって容器１０を、しっかりと掴んで安定した様式で、困難なく把持するのを可能にする。
【００１４】
鍔部２０は、第１の直径を有する下端部２３と、第２のより大きい直径を有するへり２６に隣接した上端部２６ａとを含む。上端部２６ａおよび下端部２３は、同心肩部１５を画定する接合部において繋がっている。固着固定具組立体は、鍔部２０の下端部２３を容器１０に固着するように適合される。
【００１５】
同心肩部１５において、鍔部２０の上端部２６ａの直径は、鍔部２０の外側側部２０ａの同心の形状を画定するより大きい直径へと外向きに拡張する。鍔部２０の上端部２６ａのより大きい直径は、同心肩部１５から、鍔部２０の一番上の端部すなわちへり２６に隣接する上側のへり２６まで、上向きにおよび外向きに裾広がりになる。
【００１６】
環状封止体４０は、図１、図８、図１３〜１６、図１７〜１９、図２１〜２２、および図２９〜３４において示されるように、円錐台形の円盤の形態で構築される。環状封止体４０は、組み付けたときに鍔部２０の上面２２ａに隣接して存在する下面４８ｂを含む。環状封止体４０は、組み付けたときに鍔部２０から離れる方向で上向きに面する、上面４８ａも含む。環状封止体４０の下面４８ｂは、組み付けたときにこれが取り付けられる鍔部２０の上面２２ａの円錐台形状を実質的に模倣する、円錐台形状を有する。
【００１７】
組み付けたとき、環状封止体４０は、鍔部２０の開放上面２２ａに固着される。鍔部２０の下端部２３は、固定具組立体を介して容器１０の上側開放端部１３に固定される。組み付けられると、復元力のある封止材リング１１は、容器１０の上側開放端部１３と鍔部２０の同心肩部１５との間に配設される。同心肩部１５は、鍔部２０の上端部２６ａの外面２０ａから下端部２３を画定するより小さい直径を有する内面へと内向きに縮小するように構築される。鍔部の下端部２３において設けられる固定具組立体は、雄ねじ２４である。
【００１８】
雄ねじ２４は、図８において示されるように、容器１０の上端部１３の内側表面上に配設された様々な雌ねじ１６と嵌合しこれに対して固着するための、鍔部２０の下端部２３に隣接して配設された固定具組立体接続部を構成し得る。ねじ山付き組立体の取り付け部がここでは示されているが、鍔部２０と容器１０との間の確実な組立体接続機構ための、様々な他の好適な構造が使用され得ることを理解されたい。
【００１９】
図３は、本開示の主題による、鍔部２０に取り付けられた取っ手を有さない、代替の鍔部２０の設計を示す。理想的には、この設計は、主題である開示による容器組立体１００の容器１０の外面を確実に掴むことのできる、より優れた運動能力を有するより成熟した子供または個人による使用のために適合される。
【００２０】
図４〜５は、この飲用容器組立体１００の利点のうちの１つを描いている。すなわち、この主題である開示によれば、使用者は、飲用容器組立体１００のへり２６から、鍔部２０の頂端部のへり２６の同心の周囲の（矢印によって示されるような）任意の場所において、飲むことができる。小さい子供にとり、この容器１００から飲むことは、これがそのこぼれない弁組立体として突出する飲み口という従来の構造を含まないことから、標準的な大人用飲用カップから飲むという概念を模倣している。
【００２１】
図６〜７において示されるように、容器組立体１００は、哺乳瓶から標準的なカップ容器へと移行中の小さい子供にとって、特に有用で有益である。この移行中に、歩き始めの子供は、大人が従来のカップに対する場合のように、自身の唇を任意の箇所において鍔部２０のへり２６に押し付けて都合よく置くことができ、へり２６に沿った任意の位置から流体を引き出すことができる。こぼれ防止容器組立体１００の使用という正の強化は、自信、および従来のカップの使用へと移るための子供の能力を促進する。小さい子供に使用された状態で示されているが、こぼれない容器組立体１００が任意の年齢の任意の個人によって使用され得ることを理解されたい。
【００２２】
図８は、こぼれない飲用容器組立体１００の一部分の詳細な断面図を描いている。示されるように、固定具組立体は、容器１０の上端部１３における内面あたりに設けられた雌ねじ１６に螺合により取り付けられている、鍔部２０の下端部２３に配設された雄ねじ２４を含む。容器１０と鍔部２０との間のねじ山付き接続部は、容器１０内に収容される流体の漏れを防止するために、同心肩部１５と容器１０の上端部１３との間に配設された復元力のある封止リング１１によって、流体に関して封止される。
【００２３】
図９における部分拡大図において示されるように、鍔部２０は、上端部が上側のへり２６において終端する外壁３１を含むように構築され得る。上側のへり２６のすぐ下方において、内向きに面する封止縁部４１に並置される、鍔部２０の内向きに面する鍔部表面縁部上には、当接または支持表面２１ａが設けられ、これは、環状封止体４０の内向きに面する封止縁部４１と封止係合するように適合される。示されるように、図９は、図１０においてより詳細に示されるように、容器１０から流体が流れ出ることを許される、鍔部２０の内向きに面する鍔部表面縁部における支持表面２１ａと、環状封止体４０の内向きに面する封止縁部４１との間の、封止されていない開放構成を描いている。
【００２４】
鍔部２０の下端部２３は、外面上に雄ねじ２４が配設された、より小さい直径を有する下側円筒壁を画定する。鍔部２０は、容器１０の上端部１３の中央開口部を覆う、円錐台形の支持部材として構築され得る。一般に、様々な壁が、鍔部の同心の内面２１から、容器１０に対する開口部１３の中央部分を覆う内部下側壁３３まで、内向きに延在する。
【００２５】
鍔部２０の上端部２６ａの近位に配設されたへり２６に隣接して、鍔部２０の上端部２６ａは、外向きに裾広がりとなる外形を形成する。中間下側壁３２は、下向きに段状となった様式で放射方向内向きに延在して、容器１０の開口部１３の上方に中央内部下側壁３３を画定する。一番下の内部下側壁３３は、鍔部２０内実質的に中央の位置において開口部１３の上方に位置付けられる。
【００２６】
言い換えれば、下側壁３３は、突出部２７の基部２８から周縁部３３ａまで放射方向外向きに拡張する。突出部２７は、鍔部２０の開口部に対して実質的に中央に位置付けられ得る。中間壁３２は、周縁部３３ａから放射方向上向きに、下側壁３３から外向きに離れる方向へ所定の角度で第２の放射方向桟部３７に向かって延在する。放射方向桟部３７は次いで、放射方向外向きに同心の内面２１へと所定の距離だけ拡張する。同心の内面２１は、鍔部２０の上端部２６ａに向かって、上向きに延在して外向きに裾広がりとなり、へり２６で終端する。
【００２７】
突出部２７は、鍔部２０の中央位置において、内部下側壁３３から上向きに延在する。突出部２７は、直立したきのこ形状の球根状頭部２９を画定するように終端する、上向き柱体２８を含む。球根状頭部２９の外縁部３０は、柱体２８の外面を越えて放射方向外向きに延在する。球根状頭部２９の外縁部３０は、柱体２８の外面を越えて放射方向外向きに延在する同心肩部３０を画定する。突出部２７は、下側壁３３の単一の統合された部品として製作され得るか、または、別個の部品として製作されて下側壁３３に永久的に取り付けられ得る。突出部２７は、下側壁３３上に確実にオーバーモールドされることおよび／または任意の他の好適な様式によってなど、様々な異なる方法で下側壁３３に固着され得る。
【００２８】
図８において示されるように、突出部２７は、容器組立体１００の内部で負の減圧圧力が高まったときに、外部環境から飲用容器組立体１００内へと空気が通気して戻るのを可能にするための、通気孔３６を含み得る。通気孔３６は、以下で詳細に検討されるように、環状封止体４０に設けられた一方向空気逆止弁開口４２と整列され、流体連通され得る。
【００２９】
鍔部２０の下側壁３３は、容器１０の開口部１３ａの上方で、中央突出部２７の基部から第１の所定の放射方向位置まで側方外向きに、放射方向に拡張する。下側壁３３は、第１の所定の放射方向位置においてある角度で曲がり、中間壁３２に沿って鍔部２０の外側端部に向かって第２の所定の放射方向位置まで、放射方向上向きに延在する。この第２の位置において、鍔部２０は、第２の放射方向桟部３７において、鍔部２０の外壁３１の同心の内面２１まで放射方向外向きにさらに拡張する。
【００３０】
外壁３１の同心の内面２１は、外向きに裾広がりとなるへり２６に向かって、上向きに第２の放射方向桟部３７から離れる方向へと延在する。同心の内面２１は、所定の半径の弧に沿って外向きに湾曲するように構築され得る。
【００３１】
図８および図９は、へり２６に隣接する鍔部２０の鍔部内面縁部における支持表面２１ａ上の突起３８を示す。容器１０の内側からの流体の流れが、環状封止体４０の内向き封止表面縁部４１と容器組立体１００の鍔部２０の鍔部内面縁部における支持表面２１ａとの間を自由に流れ得ることを保証するために、複数の均等に離間された隆起した突起３８および隣接する間隙３９が、鍔部２０の上端部に沿って同心に設けられる。離間された隆起した突起３８および隣接する間隙３９は、流体が中を通って容器１０の内側から、環状封止体４０を起点に外向きに流れ得る、流体連通経路を形成する。
【００３２】
隆起した突起３８および間隙３９の高さは、使用者によって吸引力が加えられたときに過度な困難を伴わずに封止が破られ得るようにするために、鍔部２０の上側の内向き鍔部表面縁部おける支持表面２１ａに当接して静止している環状封止体４０の一番外側の放射方向縁部４５を鍔部２０から持ち上げて離すために使用者によって必要とされる最低吸引力の量を、最適化するように構築される。隆起した突起３８の高さは、封止を破り一番外側の放射方向縁部４５を支持表面２１ａから持ち上げて離すために必要とされる吸引力の量を変更するように変更され得る。
【００３３】
図８および図１０は、所定の負の吸引圧力により鍔部２０のへり２６に吸引力が加えられるとき、環状封止体４０の内向き封止表面縁部４１が、吸引力の下で、封止を破り液体が支持表面２１ａ上に構築された間隙３９および環状封止体４０の持ち上げられた内向き封止表面縁部４１を通ってへり２６の内面上を流れるのを可能にするのに十分な高さをもって、持ち上げられることになる例を示す。
【００３４】
図８および図１１は、鍔部２０上に同心に配設された、複数の放射方向の開口３４を示す。放射方向の開口３４は、容器１０内の流体が容器１０から出て鍔部２０を通り、開口３４の上方であり環状封止体４０の内向き封止表面縁部４１の下方に設けられた貯留部空洞３５の中に流れるのを可能にするための、様々な連絡経路を作り出す。様々な開口３４が、様々な異なるサイズおよび／または形状で構築され得る。たとえば、開口３４は、容器１０から出る流体の流量を低減するために、より小さくされ得る。同様に、開口３４は、容器１０から出る流体の流量を大きくするために、より大きくされ得る。別法として、単一の容器において、開口３４は変更され得、容器１０から出る流体の流量を選択的に変更するために、いくつかをより小さくおよび／またはより大きくされ得る。
【００３５】
外部大気から容器組立体１００内へと戻る空気の通気を可能にするために、鍔部２０に、少なくとも１つの空気通気開口３６が設けられる。外部大気からの空気の進入は、使用者が容器１０内から流体を吸い出すときに、容器１０内の圧力が容器組立体１００の外側の圧力と平衡状態になるのを可能にすることになる。使用者が容器から流体を吸い出すとき、容器組立体１００内で、外部環境からの空気が一方向空気弁４２および通気孔３６を通して容器１０の中へと引き込まれることを引き起こす、負の減圧圧力が作り出される。
【００３６】
環状封止体４０は、容器１０の反対側で鍔部２０を覆って配設されるように構築される。環状封止体４０は、吸引カップと同様の形状に構築された円錐台形状を有する。環状封止体４０と鍔部２０との間の流体封止は、一番外側の放射方縁部４５と、鍔部２０のふち２６に隣接する内向きに面する鍔部表面縁部における支持表面２１ａとの間に生じる。図８において示されるように、環状封止体４０の円錐台形状の下端部は、鍔部２０の内側の円錐台形状の上側側面を実質的に模倣する。所定位置では、環状封止体４０は、封止を形成するように、容器組立体１００の鍔部２０の上側部分に付着し、これに対して実質的に突き合う。
【００３７】
凹部４３が、鍔部２０の上面に面する、環状封止体４０の下側表面に設けられる。突出部２７の球根状頭部２９によって画定される同心肩部３０に付着するための係合とロック機構とを提供するために、同心フランジ４４が、環状封止体４０の凹部４３の進入端部において内向きに延在する。すなわち、環状封止体４０の凹部４３は、同心フランジ４４が球根状頭部２９を覆うように摺動し、球根状頭部２９の下方で同心肩部３０上にロックするまで、球根状頭部２９を覆うように押し下げられる。
【００３８】
図１２は、鍔部２０の底面図を示す。図８および図１２において示されるように、偏心開口部２５が、下側壁３３に設けられ、部分的に中間壁３２に配設される。偏心開口部２５は、使用者が、環状封止体４０を押して突出部２７から解除しそこから離すために、下方から偏心開口部２５を通して（指などを）挿入可能とするために設けられる。このようにして、使用者は、容器組立体１００の構成要素の部品を効率的に分解し、容器組立体１００における様々な構成要素を完全に洗浄することができる。
【００３９】
偏心開口部２５を提供することの利点は、環状封止体４０自体の封止機能を危うくする可能性のある環状封止体４０の他の繊細な部分に損傷をもたらすことなく、使用者が自身の指を、繰り返し押すことに耐えることのできる環状封止体４０のより厚い部分に押し付けることができることである。たとえば、一方向空気通気開口４２に隣接するところで環状封止体４０を押圧すること、または環状封止体４０の内向き封止表面縁部４１に逆らって引くことは、環状封止体４０を様々な場所において、潜在的には永久的に変形および／または断裂させる可能性がある。これらの繊細な場所のうちのいくつかは、その封止機能を破壊する可能性のある、同心フランジ４４、内向き封止表面縁部４１、および／または一方向空気通気開口４２である。
【００４０】
再び図８を参照すると、環状封止体４０は、通気孔３６と連通する一方向空気弁４２を含む。一方向空気弁４２は、空気が外部環境から環状封止体４０を通って空気通気孔３６内へと通るのを可能にするように適合される。空気通気孔３６は、中に流体が貯蔵される容器１０内の内部容積と、流体連通している。以下で説明されるように、鍔部２０上の様々な異なる場所にも配設され得る通気孔３６と連通するために、一方向空気弁が、様々な異なる場所において設けられ得る。
【００４１】
図１０は、操作中の容器組立体１００を描いている。使用時には、使用者が容器組立体１００のへり２６を自身の唇へと倒したとき、容器１０内の流体は、鍔部２０における放射方向に配設された開口３４を通って流れ、環状封止体４０の上端部に隣接する貯留部空洞３５内に集まる。使用者が容器組立体１００の縁部において吸引すると、環状封止体４０の内向き封止表面縁部４１は、鍔部２０の同心の内面における支持表面２１ａから持ち上げられ、容器１０の内部の流体は、容器組立体１００のへりに加えられた吸引力の下で容器組立体１００から引き出されるのを許される。すなわち、容器組立体１００内の内部圧力が低減され、容器組立体１００の内部に、容器組立体１００の外側の大気圧に対する減圧状態が作り出される。結果として、容器組立体１００内の内部圧力と容器組立体１００を取り囲む大気圧との間の平衡圧力状態を再確立するように、大気の空気が、環状封止体４０の中央に配置された一方向空気弁４２を通して容器組立体１００内に引き込まれ、また、鍔部２０の中央に配置された通気孔３６を通して容器組立体１００内に引き込まれて戻される。
【００４２】
再び図８を参照すると、突出部２７を取り囲む環状封止体４０の材料構造は、凹部４３および同心フランジ４４によって画定される内部空洞が、突出部２７の延長された外縁部３０を確実に受容し、保持し、その上にロックすることを可能とするために必要な剛性を提供するために、突出部２７を取り囲む厚くされた隆起した部分４６によって示されるように、実質的に盛り上げられおよび／または厚くされ得る。隆起した部分４６は、隆起した部分４６を突出部２７上へとこれを覆うように下向きに押下する親指などの指を、困難なく支持するのに、実質的に十分な大きさである。隆起した部分４６は、使用者の手の様々な部分を受容するのに好適な、人間工学的に負担のない様々な構成をとり得る。
【００４３】
図１１、図１３〜１５、図１８〜１９、図２２〜２３、図２５、および図２８は、複数の隆起した部分３８と間隙３９とを有する鍔部２０と環状封止体４０とを含む、こぼれない容器組立体１００の上端部の様々な図を描いている。隆起した部分３８および間隙３９は、環状リング４０の底面上もしくは環状封止体４０の内向き封止表面縁部４１上か、または鍔部２０の支持表面２１ａ上のいずれかに、同心に配設される。図８、図１７〜１９、図２２〜２３、図２５、および図２８において示されるように、隆起した突起３８および間隙３９が、環状封止体４０の内向き封止表面縁部４１上に入れ替え可能に配置され得るか、または鍔部２０の支持表面２１ａの一部として一体化され得ることを理解されたい。隆起した突起３８および間隙３９は、容器１０内の流体が中を通って環状封止体４０の内向き封止表面縁部４１と鍔部２０の支持表面２１ａとの間の開口部から流出することのできる、様々な流路を画定する。
【００４４】
図１３〜１６および図２２は、突出部２７に関する様々な構成を示す。特に、突出部２７は、図１３〜１４および図２２において示されるような中実の突出部２７ａの構造として、または、図１５において示されるような開放構造もしくは図１６において示されるような落ち窪んだ中空の閉じた構造を有する部分的に中空の突出部２７ｂとして、具現化され得る。ここでも、上記のように、環状封止体４０の凹部４３内に配設され固定されることになる様々な突出部２７ａ、２７ｂが構築される。
【００４５】
図１３〜１４、図１６、および図２８において、空気通気開口３６ａは、空気が外部環境から飲用容器組立体１００内へと通気して戻るのを可能にするために、容器組立体１００の軸方向の中心からずらして設けられ得る。示されるように、空気通気開口３６ａは、鍔部２０の中心からすらして設けられる。たとえば、図１６において示されるように、空気通気開口３６ａは、中間壁３２に設けられ得、一方向空気通気弁開口４２ａが、外部大気からの空気の進入を可能にするように、空気通気開口３６ａと整列され流体連通され得る。図１３〜１４、および図１６において示されるように、環状封止体４０の下端部は、様々な流路４４を含み得る。流路４４は、空気通気開口３６ａおよび一方向弁開口４２ａと同心とすることができ、これらと流体連通した状態で提供され得る。より多くの空気通気開口３６ａのうちの１つが、容器組立体１００の中心の周囲に提供され得る。図２２において示されるように、放射方向に配設された開口３４は、空気通気開口３６ａとして機能するように最適に位置付けられ得、この場合、放射方向に配設された開口３４は、容器組立体１００内の減圧状態が高まるときに容器組立体１００の外側の大気の空気と流体連通するように、一方向空気通気弁開口４２ａの下方に位置付けられる。
【００４６】
図１４は、環状封止体４０の上面に上向きに構築された延長されたつまみ５０を有する、こぼれない容器組立体１００の上端部の断面図を例示する。上向きに延長されたつまみ５０は、突出部２７を覆う固着位置から環状封止体４０を取り外すために適合される。つまみ５０は、十分に言明され、つまみ５０を捉え容器組立体１００の突出部２７ａから環状封止体４０を持ち上げるのに十分な力で引き上げるため、使用者の指を受けるように、弁４０の上面の上方に所定の距離だけ延在する。
【００４７】
図１６は、環状封止体４０ａに中央開口４６が設けられる、代替の実施形態を示す。同心フランジ４４は、中央開口４６に設けられる下部を切り落とした肩部４７を画定する。使用時には、環状封止体４０ａを突出部２７ｂの球根状頭部２９ａ上にこれを覆うように係合させロックさせるために、環状封止体４０ａの中央開口４６の同心フランジ４４は、同心フランジ４４が球根状頭部２９ａから外向きに延在する嵌合する同心肩部３０を覆うように摺動し、球根状頭部２９ａの下方でその下部を切り落とした肩部４７を延長された同心肩部３０上にロックさせるまで、球根状頭部２９を覆うように押し下げられる。
【００４８】
図１７は、主題である開示による、別の例示の環状封止体４０ｂを有するこぼれない容器組立体１００の分解図を描いている。図１８〜１９において示されるように、環状封止体４０ｂは、容器組立体１００内で、鍔部２０と容器１０との間に位置付けられ固着される。
【００４９】
図１８〜１９は、内向きに突出する桟部３７と容器１０の上側開放端部１３との間に固着された、環状封止体４０ｂを示す。環状封止体４０ｂは、鍔部２０の支持表面２１ａと環状封止体４０の内向き封止表面縁部４１との間にそれぞれ配設された、様々な隆起した突起３８と間隙３９とをも含む。図１８に示される１つの例では、隆起した突起３８および間隙３９は、環状封止体４０ｂ上に一体化される。図１９において示されるように、隆起した突起３８および間隙３９は、鍔部２０の内向き鍔部表面縁部における支持表面２１ａ上に一体化される。図１８〜１９において示されるように、雄ねじ２４および雌ねじ１６は、容器１０と鍔部２０との間の確実な嵌合接続をもたらすように、逆にされ得る。
【００５０】
示されるように、鍔部２０は、そこから延在する１対の取っ手１７を有する側壁３１を含む。ここでも、鍔部２０は、鍔部２０の内向きに面する鍔部表面壁２１から延在する、内向きに突出する桟部３７も含む。突出する桟部３７において液体通路３４が配設され、これは、環状封止体４０ｂの下側壁５３から延在する同心の一番外側の端部壁５４における液体通路３４ａと整列するように適合される。容器１０内の流体は、液体通路３４および３４ａを通って容器１０から外に出て、環状封止体４０ｂと鍔部２０との間の貯留部空洞３５内へと流れることができる。
【００５１】
環状封止体４０ｂの下側壁５３から分岐しそこから延在する、同心の一番外側の端壁５４は、容器１０の上側開放端部１３ａにわたって延在する。下側壁５３の同心の一番外側の端部５４は、図１８〜１９において示されるように、ねじ山付き取り付け部に隣接する容器１０と鍔部２０との間の接続部を封止することのできる、漏れ防止材料で構成され得る。
【００５２】
ここでも、環状封止体４０ｂは、環状封止体４０に吸引圧力が加えられないときに容器１０の内側から流体がこぼれるのを防止するために、鍔部２０の内向きに面する鍔部表面縁部における支持表面２１ａに対して封止圧力を加える、内向き封止表面縁部４１を含む。へり２６に沿った任意の場所に吸引圧力が加えられるとき、内向き封止表面縁部４１は、容器１０内の流体が容器組立体１００から流出できるように、鍔部２０の内向きに面する鍔部表面縁部における支持表面２１ａから持ち上げられる。
【００５３】
環状封止体２０ｂの同心の一番外側の端部５４、および鍔部２０から延在する内向きに突出する桟部３７は、整列された液体通路３４、３４ａを含む。容器組立体１００の内部で負の減圧圧力が高まったときに、外部環境から飲用容器組立体１００内へと空気が通気して戻るのを可能にするために、下側壁５３に、空気通気開口３６が設けられる。
【００５４】
環状封止体環状封止体４０、４０ａ、４０ｂの、サイズ、形状、配向は、様々な異なる方法で構成され得る。環状封止体４０、４０ａ、４０ｂは、鍔部と環状封止体との間の漏れ防止封止を提供するように、任意の種類の好適な弾性で復元力のある封止材料で構築され得る。同様に、容器組立体１００の１つまたは複数の部分が、様々な剛性または強度の様々な材料を含むように一体成形され得る。たとえば、環状封止体４０ｂは、環状封止体上の様々な場所における様々なデュロメータ硬さなど、環状封止体４０ｂに沿った異なる場所において、様々な復元力のある材料で構成され得る。たとえば、内向き封止表面縁部４１および同心の一番外側の縁部５４は、より柔らかくより復元力のある材料から製作され得、環状フランジ４０ｂの残りの部分は、より硬く復元力のある材料またはデュロメータ硬さで製作され得る。
【００５５】
図２０、図２１、および図２２は、こぼれない飲用容器組立体１００の、別の上側斜視図、分解図、および断面図を示す。容器組立体１００に関する構造は上記された実施形態と同様であり、比較的軽微な変更があるのみで、同様に機能する。
【００５６】
環状封止体４０ｃは、突出する隆起した部分４６一番上側の周縁端部において放射方向外向きに延在するフランジ４６ａを有する、突出する隆起した部分４６を含む。
【００５７】
図２２は、容器組立体１００の断面を描いている。より詳細に示されるように、鍔部２０は、円錐台形状の内壁を有する。同様に、環状封止体４０は、上向きに突出する球根構成を中央に有する、嵌合する円錐台形状を含む。様々な既出の実施形態の円錐台形状の壁のように、鍔部２０は、へり２６から段状となった中間壁３２まで下向きにおよび内向きに延在する、円形上側へり２６端部を有する。中間壁３２は、閉じた下側壁３３まで内向きに延在する。また、閉じた下側壁３３は、その中央から外向きに延在する突出部２７を有する。
【００５８】
ここでも、内向き鍔部表面縁部２１の上縁部において、円形上側へりの当接表面および／または支持表面２１ａが設けられ、これらは、環状封止体４０の内向き封止縁部４１が鍔部内面縁部における支持表面２１ａに当接して存在するときに、流体封止を形成するように適合される。
【００５９】
図２３および図２５において示されるように、複数の隆起した突起３８および隣接する間隙３９が支持表面２１ａと放射方向に隣接して配設され、支持表面２１ａに沿って様々な流体流路を画定する。同様に、容器１０内の流体が、容器１０から出て鍔部２０を横切り開口３４の上方におよび環状封止体４０ｃの内向き封止表面縁部４１の下方に設けられた貯留部空洞３５内へと流れることを可能にするために、複数の放射方向に配設された開口３４が、鍔部２０の円錐台形状の内壁３２、３３、３７の全体にわたって、突出部２７の周囲に放射方向に配設される。
【００６０】
既に述べられたように、様々な開口３４、３４ａは、様々な異なるサイズの開口度および／または形状で構築され得る。すなわち、開口３４は、容器１０から出る流体の流量を低減するために、より小さくされ得る。同様に、開口３４、３４ａは、容器１０から出る流体の流量を大きくするために、より大きくされ得る。別法として、図２５〜２６において示されるような単一の容器において、開口３４は開口のサイズおよび形状が変更され得、使用者が鍔部２０のへり２６の周囲で吸引動作によって流体を引き入れるときに容器１０から出る流体の流量を選択的に変更するために、いくつかがより小さくおよび／またはより大きくされ得る。
【００６１】
鍔部２０および環状封止体４０の構造に対する様々な修正は、容器組立体１００から出る流体の流体流特性に影響を及ぼす。たとえば、様々な隆起した突起３８および隣接する間隙３９は、高くかまたは低くされ得、内向き封止表面縁部４１を内向きに面する鍔部表面２０の縁部から持ち上げるために必要とされる吸引力に影響を及ぼすことになる。同様に、様々な開口３４の個数およびサイズは、容器組立体１００から出る流体の流量に影響を及ぼすことになる。環状封止体４０ｃの内向き封止表面縁部４１と鍔部２０の支持表面２１ａとの間で成される表面領域の接触も、内向き封止表面縁部４１を鍔部２０の支持表面２１ａから持ち上げて離すために必要とされる吸引の量に影響を及ぼすことになる。様々な他の特徴も、容器組立体１００の使用および動作に影響を及ぼし得る。
【００６２】
図２２において示されるように、様々な開口３４は、空気を連通させて一方向空気通気弁開口４２ａから容器組立体１００の容器１０内へと戻すための、空気通気通路としても働き得る。開口３４は、容器１０内の圧力が、容器組立体１００の外側の圧力と平衡状態になるのを可能にする。すなわち、使用者が容器１０内から流体を吸い出し、容器組立体１００内に負の減圧圧力をもたらした後で、開口３４は、一方向空気通気開口４２ａを通して空気を引き込む負圧下で、空気が容器１０内に流れて戻ることを可能にする。
【００６３】
ここでも、複数の均等に離間された隆起した突起３８および隣接する間隙３９は、容器１０の内側からの流体の流れが、環状封止体４０の内向き封止表面縁部４１と鍔部２０の上側の内向きに面する鍔部表面縁部における支持表面２１ａとの間を自由に流れ得ることを保証するために設けられる。隆起した突起３８および間隙３９は、使用者によって吸引力が加えられたときに過度な困難を伴わずに封止が破られ得るようにするために、支持表面２１ａに当接して静止している環状封止体４０の外縁部を鍔部２０から持ち上げて離すために使用者によって必要とされる最低吸引力の量を、最適化にするように構築される。
【００６４】
所定の負の吸引圧力により鍔部２０のへり２６に吸引力が加えられるとき、環状封止体４０の内向き封止表面縁部４１が、吸引力の下で持ち上げられることになる。内向き封止表面縁部４１は、鍔部表面縁部における支持表面２１ａから、封止を破り支持表面２１ａ上の隆起した突起３８同士の間をおよび間隙３９内を液体が流れるのを可能にするのに十分な高さをもって、持ち上がることになる。
【００６５】
図２２および図２９〜３４において示されるような環状封止体４０は、円錐台形の円盤の形態で構築された可撓性の弁で構成される。図２２における断面において示されるように、環状封止体４０の形状は、鍔部２０の円錐台形状の内壁３２、３３、２１ａの形状と実質的に同様である。環状封止体４０の下面４９は、その下面４９上のその中央に、盲孔構造を有する、凹部４３を有する。盲孔凹部４３は、環状封止体４０の下面４９において鍔部２０の突出部２７の延在する外側の縁部３０上に配設された同心フランジ４４を受容し固着するように構築される。説明されたその他の実施形態の場合のように、容器１０内に鍔部２０を確実に固定するために、鍔部２０の底端部に、ねじ山１６、２４が設けられる。
【００６６】
組み付けたとき、環状封止体４０は、容器１０に面する下面とは反対側の、鍔部２０の上面の上方に位置付けられる。環状封止体４０の円錐台形状は、形状および機能において吸引カップと同様にも構築され得る。環状封止体４０の流体封止は、環状封止体４０の一番外側の放射方縁部４１と、へり２６に隣接する鍔部２０の内向きに面する鍔部表面縁部において設けられる同心の支持表面２１ａとの間で生じる。環状封止体４０の円錐台形状は、鍔部２０の内側の円錐台形状を実質的に模倣する。所定位置では、環状封止体４０の一番外側の放射方縁部４１および鍔部２０は、封止を形成するように互いに対して突き合う。図３４において示されるように、環状封止体４０の同心の一番外側の放射方縁部４１は、容器１０内の流体が容器組立体１００から流出することを可能にするために、使用者によって提供される所定の量の吸引力により、封止を破るために容易に持ち上げられ得る、十分に薄い一番外側の放射方縁部４１ではあるものの、一番外側の放射方縁部４１を鍔部２０に対して封止することになる、十分な最適厚さを有する壁を提供するために、環状封止体４０のその他の部分よりも薄くされ得る。
【００６７】
図２２において示されるように、同心フランジ４４は、環状封止体４０の凹部４３の下面４９進入端部において、内向きに延在する。同心フランジ４４は、突出部２７の球根状頭部２９の同心肩部３０が上に固着され得る、係合およびロック機構を提供するように構築される。すなわち、環状封止体４０の下面４９における凹部４３は、球根状頭部２９と整列され、同心フランジ４４が球根状頭部２９を覆うように摺動し、球根状頭部２９の下端部を画定する同心肩部３０上にロックするまで、球根状頭部２９を覆うように押し下げられる。
【００６８】
鍔部３０から環状封止体４０を取り外すために、使用者は、放射方向に延在するフランジ４６ａを掴み、これを鍔部２０から上向きに引き離すことができる。このようにして、同心フランジ４４は突出部２７上の肩部３０から持ち上げられ、このことにより鍔部３０から環状封止体４０を係合解除する。鍔部から環状封止体４０を取り外すことは、使用者が容器組立体１００の様々な構成要素の部品の洗浄および／または清浄化を望むときに利点となる。図２０〜３４において提供される実施形態は、この主題である開示において提供される様々な他の実施形態と同様に機能する。
【００６９】
同様に、放射方向に延在するフランジ４６ａを提供することの利点は、環状の弁４０の繰り返しの取り外しおよび設置の結果として環状封止体４０自体の封止機能を危うくすることなく、使用者が環状封止体４０を鍔部２０から引き離すことを可能にすることである。たとえば、一方向空気通気開口４２に隣接するところで環状封止体４０を押圧すること、または環状封止体４０の内向き封止表面縁部４１に逆らって引くことは、環状封止体４０を様々な場所において、潜在的には永久的に変形および／または断裂させる可能性がある。これらの繊細な場所のうちのいくつかは、その封止機能を破壊する可能性のある、同心フランジ４４、内向き封止表面縁部４１、および／または一方向空気通気開口４２ａである.。
【００７０】
図２２、および図３３〜３４においてより詳細に示されるように、環状封止体４０は、様々な放射方向に配設された開口３４と整列されこれらと粒体連通する、一方向空気弁開口４２ａを含む。一方向空気通気弁開口４２ａは、環状封止体４０の内側上面６１上に、凹部６０を含み得る。弁開口４２ａは、環状封止体４０の下面６３上に、相補凹部６２も含み得る。相補凹部６２は、容器１０内の流体の体積が引き出されるときの外部大気からの空気の進入が、移動された体積の不在と流体の移動によって作り出された減圧状態とに置き換わることを可能にするように適合される。２つの凹部６０、６２の深さは、容器組立体１００において一方向弁開口４２ａが配設される最適厚さを提供するように構築される。
【００７１】
本明細書において提供されるおよび例示および実例は、説明を目的としており、付属の特許請求の範囲の範囲を限定することは意図されていない。本発明の広い進歩性を備えた概念から逸脱することなく、上記の実施形態に対して変更または修正が行われ得ることが、当業者によって認識されるであろう。したがって、本発明は、説明される特定の実施形態に限定されるのではなく、本発明の範囲および精神の内にあるあらゆる修正および変更を包含することを意図されることが、理解される。
【図１】
2018122936.tif 000003
【図２】
2018122936.tif 000004
【図３】
2018122936.tif 000005
【図４】
2018122936.tif 000006
【図５】
2018122936.tif 000007
【図６】
2018122936.tif 000008
【図７】
2018122936.tif 000009
【図８】
2018122936.tif 000010
【図９】
2018122936.tif 000011
【図１０】
2018122936.tif 000012
【図１１】
2018122936.tif 000013
【図１２】
2018122936.tif 000014
【図１３】
2018122936.tif 000015
【図１４】
2018122936.tif 000016
【図１５】
2018122936.tif 000017
【図１６】
2018122936.tif 000018
【図１７】
2018122936.tif 000019
【図１８】
2018122936.tif 000020
【図１９】
2018122936.tif 000021
【図２０】
2018122936.tif 000022
【図２１】
2018122936.tif 000023
【図２２】
2018122936.tif 000024
【図２３】
2018122936.tif 000025
【図２４】
2018122936.tif 000026
【図２５】
2018122936.tif 000027
【図２６】
2018122936.tif 000028
【図２７】
2018122936.tif 000029
【図２８】
2018122936.tif 000030
【図２９】
2018122936.tif 000031
【図３０】
2018122936.tif 000032
【図３１】
2018122936.tif 000033
【図３２】
2018122936.tif 000034
【図３３】
2018122936.tif 000035
【図３４】
2018122936.tif 000036
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
鍔部と封止体とを備えるこぼれない鍔部および弁の組立体であって、
前記鍔部は、閉じた下端部から外向きに延在する突出部を有する前記閉じた下端部内へと下向きにおよび内向きに延在する開放円形上端部を有する円錐台形を有するとともに、内壁の反対側に設けられた固定具組立体を有する内壁を備え、前記内壁は、
前記開放円形上端部の内面に沿って設けられた支持表面と、ここで、前記開放円形上端部は、１つ以上の流路を画定する前記支持表面に対して放射方向に隣接して配設された１つ以上の突起を有しており、
前記内壁を通して所望の流量で流体を流すために配設された所定の開口のサイズを有する１つ以上の通路とを備え、
前記封止体は、前記内壁の形状と実質的に同様の第１表面を有し、前記突出部を受容しその中に固定するための盲孔凹部を下面上に有する、
こぼれない鍔部および弁の組立体。
【請求項２】
複数の通路があるとき、前記複数の通路は異なるサイズの開口を有し得る、請求項１に記載のこぼれない鍔部および弁の組立体。
【請求項３】
前記１つ以上の突起が前記支持表面に配設される、請求項１に記載のこぼれない鍔部および弁の組立体。
【請求項４】
複数の前記突起は、変更する高さを有し得る、請求項１に記載のこぼれない鍔部および弁の組立体。
【請求項５】
前記１つ以上の突起は、前記支持表面に隣接する前記封止体の前記第１表面上に配設されている、請求項１に記載のこぼれない鍔部および弁の組立体。
【請求項６】
環状の封止体が、容器内への空気の移送を可能にするように適合された１つ以上の空気弁を含む、請求項１に記載のこぼれない鍔部および弁の組立体。
【請求項７】
空気弁が環状封止体の表面、又は環状封止体の中心の、少なくともいずれか１つに配設された、請求項１に記載のこぼれない鍔部および弁の組立体。
【請求項８】
環状封止体が、前記流路が前記環状封止体によって覆われるようにして、前記支持表面に対してその周縁部を封止するように付勢される、請求項１に記載のこぼれない鍔部および弁の組立体。
【請求項９】
前記環状封止体の前記周縁部が、使用者の口によって生成される吸引力に応じて前記支持表面から持ち上げられるとき、前記流路のうちの少なくとも１つが、前記周縁部の内部と前記鍔部の前記支持表面との間に流体連通経路を形成するように部分的に露出され、このことにより流体が前記流路を通って前記使用者の前記口の中へと流れることを可能にする、請求項８に記載のこぼれない鍔部および弁の組立体。
【請求項１０】
円錐台形の前記内壁が、
前記突出部の基部から第１の同心縁部まで放射方向外向きに拡張する閉じた下側壁と、
中間壁であって、前記閉じた下側壁の前記第１の同心縁部から放射方向外向きに離れる方向へと、所定の角度で前記中間壁の上端部における第２の同心縁部に向かって延在する、中間壁と、
前記中間壁の前記上端部から前記鍔部の前記開放円形上端部まで放射方向外向きに拡張する、第２の放射方向桟部と、
を備える、請求項１に記載のこぼれない鍔部および弁の組立体。
【請求項１１】
前記突出部の上縁部が、同心肩部を画定するために、前記突出部の軸部の外面の下側部分を越えて放射方向外向きに延在し、環状封止体が前記盲孔凹部の同心縁部から内向きに延在する同心フランジを備え、前記同心フランジは、前記突出部の同心肩部を受容し固定する、請求項１に記載のこぼれない鍔部および弁の組立体。
【請求項１２】
環状封止体が、上面上の中央において、前記環状封止体を前記鍔部から取り外すのを容易にするための放射方向外向きに延在するフランジを有する隆起した部分をさらに備える、請求項１に記載のこぼれない鍔部および弁の組立体。
【請求項１３】
鍔部と封止体とを備えるこぼれない鍔部および弁の組立体であって、
前記鍔部は、閉じた下端部から外向きに延在する突出部を有する前記閉じた下端部内へと下向きにおよび内向きに延在する開放円形上端部を有する円錐台形を有するとともに、内壁の反対側に設けられた固定具組立体を有する内壁を備え、前記内壁は、
前記開放円形上端部の内面に沿って設けられた支持表面と、
流路を画定する前記支持表面に放射方向に隣接して配設され所定の高さの１つ以上の突起と、ここで、前記流路を通して流体が所定の流量で分配され、前記突起の所定の高さは、前記支持表面から前記封止体を持ち上げるための吸引の量に対応しており、
前記流体を流す前記内壁を通して配設された１つ以上の通路とを備え、
前記封止体は、前記内壁の形状と実質的に同様の第１表面を有し、前記突出部を受容しその中に固定するための盲孔凹部を下面上に有する、
こぼれない鍔部および弁の組立体。
【請求項１４】
複数の突起があるとき、複数の所定の高さが前記複数の突起によって提供され得る、請求項１３に記載のこぼれない鍔部および弁の組立体。
【請求項１５】
複数の前記通路が異なるサイズの開口を有し得る、請求項１３に記載のこぼれない鍔部および弁の組立体。
【請求項１６】
鍔部と封止体とを備えるこぼれない鍔部および弁の組立体であって、
前記鍔部は、閉じた下端部から外向きに延在する突出部を有する前記閉じた下端部内へと下向きにおよび内向きに延在する開放円形上端部を有する円錐台形を有するとともに、内壁の反対側に設けられた固定具組立体を有する内壁を備え、前記内壁は、
前記開放円形上端部の内面に沿った支持表面と、前記内壁を通して流体を流すために配設された１つ以上の通路とを備え、
前記封止体は、前記内壁の形状と実質的に同様の第１表面を有し、前記突出部を受容し固定するための盲孔凹部を下面上に有し、前記封止体は、さらに、流路を画定する前記支持表面に隣接して放射方向に配設された１つ以上の突起を備える、こぼれない鍔部および弁の組立体。
【請求項１７】
複数の通路があるとき、複数の所定のサイズの開口が提供され得る、請求項１６に記載のこぼれない鍔部および弁の組立体。
【請求項１８】
複数の突起があるとき、複数の所定の高さが提供され得る、請求項１６に記載のこぼれない鍔部および弁の組立体。
【請求項１９】
環状封止体が、前記流路が前記環状封止体によって覆われるようにして、前記支持表面に対してその周縁部を封止するように付勢される、請求項１６に記載のこぼれない鍔部および弁の組立体。
【請求項２０】
環状封止体の周縁部が、使用者の口によって生成される吸引力に応じて前記支持表面から持ち上げられるとき、前記流路のうちの少なくとも１つが、前記周縁部の内部と前記鍔部の前記支持表面との間に流体連通経路を形成するように部分的に露出され、このことにより流体が前記流路を通って前記使用者の前記口の中へと流れることを可能にする、請求項１６に記載のこぼれない鍔部および弁の組立体。
【手続補正２】
【補正対象書類名】明細書
【補正対象項目名】００７１
【補正方法】変更
【補正の内容】
【００７１】
本明細書において提供されるおよび例示および実例は、説明を目的としており、付属の特許請求の範囲の範囲を限定することは意図されていない。本発明の広い進歩性を備えた概念から逸脱することなく、上記の実施形態に対して変更または修正が行われ得ることが、当業者によって認識されるであろう。したがって、本発明は、説明される特定の実施形態に限定されるのではなく、本発明の範囲および精神の内にあるあらゆる修正および変更を包含することを意図されることが、理解される。
以下に、出願当初の特許請求の範囲に記載の事項を、そのまま、付記しておく。
［１］  中央から外向きに延在する突出部を有する閉じた下端部内へと下向きにおよび内向きに延在する開放円形上端部を有する円錐台形内壁を有する鍔部であって、前記鍔部が、
前記開放円形上端部の内面に沿って配置構成された支持表面と、
容器に確実に固定するために設けられた、前記鍔部の底端部に隣接して配設された固定具組立体と、
流体を導通するために前記円錐台形内壁に配設された複数の通路と、を備える、鍔部と、
様々な流路を画定する、前記支持表面と放射方向に隣接して配設された複数の突起と、
前記円錐台形内壁の形状と実質的に同様の第１の円錐台形表面を有し、前記突出部を受容しその上に固着するための盲孔凹部を下面上の中央に有する、環状封止体と、
を備える、こぼれない鍔部および弁の組立体。
［２］  前記鍔部の前記底端部が、前記鍔部と前記容器との間でガスケットを受容するように適合される、［１］に記載のこぼれない鍔部および弁の組立体。
［３］  前記環状封止体が、前記容器内への空気の移送を可能にするように適合された１つまたは複数の空気弁を含む、［１］に記載のこぼれない鍔部および弁の組立体。
［４］  前記環状封止体が、前記流路が前記環状封止体によって覆われるようにして、前記支持表面に対してその周縁部を封止するように付勢される、［１］に記載のこぼれない鍔部および弁の組立体。
［５］  前記環状封止体の前記周縁部が、使用者の口によって生成される吸引力に応じて前記支持表面から持ち上げられるとき、前記流路のうちの少なくとも１つが、前記周縁部の内部と前記鍔部の前記支持表面との間に流体連通経路を形成するように部分的に露出され、このことにより流体が前記流路を通って前記使用者の前記口の中へと流れることを可能にする、［４］に記載のこぼれない鍔部および弁の組立体。
［６］  前記円錐台形内壁が、
前記突出部の基部から第１の同心縁部まで放射方向外向きに拡張する閉じた下側壁と、
中間壁であって、前記閉じた下側壁の前記第１の同心縁部から放射方向外向きに離れる方向へと、所定の角度で前記中間壁の上端部における第２の同心縁部に向かって延在する、中間壁と、
前記中間壁の前記上端部から前記鍔部の前記開放円形上端部まで放射方向外向きに拡張する、第２の放射方向桟部と、
を備える、［１］に記載のこぼれない鍔部および弁の組立体。
［７］  前記複数の通路が、前記円錐台形状の内壁の前記閉じた下側壁に配設された、［６］に記載のこぼれない鍔部および弁の組立体。
［８］  前記複数の通路が、前記円錐台形状の内壁の前記中間壁に配設された、［６］に記載のこぼれない鍔部および弁の組立体。
［９］  前記複数の通路が、前記円錐台形状の内壁の前記第２の放射方向桟部に配設された、［６］に記載のこぼれない鍔部および弁の組立体。
［１０］  前記突出部の上縁部が、同心肩部を画定するために、前記突出部の軸部の外面の下側部分を越えて放射方向外向きに延在する、［１］に記載のこぼれない鍔部および弁の組立体。
［１１］  前記環状封止体が、前記盲孔凹部の同心縁部から内向きに延在する、前記突出部の前記同心肩部を受容し固着する同心フランジを備える、［１０］に記載のこぼれない鍔部および弁の組立体。
［１２］  前記環状封止体が、上面上のその中央において、前記環状封止体を前記鍔部から取り外すのを容易にするための放射方向外向きに延在するフランジを有する隆起した部分をさらに備える、［１］に記載のこぼれない鍔部および弁の組立体。
［１３］  前記複数の放射方向の突起が、外向きに前記鍔部の前記支持表面に隣接して突出する、［１］に記載のこぼれない鍔部および弁の組立体。
［１４］  前記複数の放射方向の突起が、前記環状封止体の前記周縁部の下面から離れる方向に、前記鍔部の前記支持表面に向かってこれに隣接して突出する、［１］に記載のこぼれない鍔部および弁の組立体。
［１５］  閉じた下端部内へと下向きにおよび内向きに延在する上側開放端部を有す円錐台形状とされた内壁を有する鍔部であって、前記鍔部が、
前記閉じた下端部から外向きに離れる方向へと延在する突出部と、
前記上側開放端部に隣接する内面に沿って配置構成された支持表面と、
流体を導通するために前記円錐台形状とされた内壁に配設された少なくとも１つの開口と、
容器に確実に固定するために設けられた、前記鍔部の底部に隣接して配設された固定具組立体と、を備える、鍔部と、
前記鍔部の前記円錐台形状とされた内壁の形状と実質的に同様の円錐台の形態で構築された第１の表面を有し、前記突出部上に受けられ固着されることになる相互接続部分を下面上に有する、アニュアル封止体と、
を備える、こぼれない鍔部および弁の組立体。
［１６］  前記アニュアル封止体の周縁部と前記支持表面との間の封止接続によって閉じられる様々な流路を画定する、前記支持表面と放射方向に隣接して配設された複数の突起をさらに備える、［１５］に記載のこぼれない鍔部および弁の組立体。
［１７］  前記アニュアル封止体の前記周縁部が、使用者の口によって生成される吸引力に応じて前記支持表面から持ち上げられるとき、流体が前記使用者の前記口の中へと流れることを可能にするために、前記流路のうちの少なくとも１つが、前記容器の内部から、前記円錐台形状とされた内壁の前記少なくとも１つの開口を横切り、前記鍔部と前記環状封止体との間に画定された空洞を通り、前記流路を通る、流体連通経路を形成するように、部分的に露出される、［１６］に記載のこぼれない鍔部および弁の組立体。
［１８］  前記円錐台形状とされた内壁が、
前記突出部が上向きに延在する起点である閉じた下側水平桟部と、
中間壁であって、前記閉じた下側水平縁部の周縁から外向きに離れる方向へと、所定の角度で前記中間壁の上端部に向かって延在する、中間壁と、
前記中間壁の前記上端部から前記鍔部の前記上側開放端部まで外向きに延在する、第２の放射方向桟部と、
を備える、［１５］に記載のこぼれない鍔部および弁の組立体。
［１９］  前記突出部の上縁部が、同心肩部を画定するように放射方向に外向きに延在し、前記環状封止体の前記相互接続部分が、凹部の一番外側の同心縁部から内向きに延在する、前記突出部の前記同心肩部を受容し固着する同心フランジを有する凹部を備える、［１５］に記載のこぼれない鍔部および弁の組立体。
［２０］  容器と、
閉じた第２の端部内へと下向きにおよび内向きに延在する開いた第１の端部を有する円錐台形状の内壁を有する鍔部であって、前記鍔部が、
前記容器に確実に固定するために設けられた、前記鍔部の底部に隣接して配設された固定具組立体と、
前記閉じた第２の端部から外向きに離れる方向へと延在する突出部と、
前記開いた第１の端部に隣接する内面に沿って配置構成された支持表面と、
流体を導通するために前記円錐台形状の内壁に配設された少なくとも１つの開口と、
を備える、鍔部と、
前記鍔部の前記円錐台形状の内壁の形状と実質的に同様の円錐台形の円盤の形態で構築された第１の表面を有し、前記突出部上に受けられ固着されることになる盲孔凹部を下面上の中央に有する、アニュアル封止体と、
を備える、こぼれない容器組立体。
【外国語明細書】
2018122936000001.pdf